(57)【特許請求の範囲】
【請求項１】
周囲が密封されたプラスチックフィルムからなる袋体の内面に密閉用ファスナーを有するとともに、該密閉用ファスナーと袋体の上下両端部との間の側面にそれぞれ開口用Ｖノッチが形成され、かつ袋体の下部には内側に折り込み可能なマチ部を備えた母乳等用の保存袋において、
前記袋体の下端部近傍に、前記マチ部の下面空間と袋体外部とを連通させる複数個の穴を設けたことを特徴とする母乳等用の保存袋。
【請求項２】
周囲が密封されたプラスチックフィルムからなる袋体の内面に密閉用ファスナーを有するとともに、該密閉用ファスナーと袋体の上下両端部との間の側面にそれぞれ開口用Ｖノッチが形成され、かつ袋体の下部には内側に折り込み可能なマチ部を備えた母乳等用の保存袋において、
前記袋体の下端部に、前記マチ部の下面空間と袋体外部とを連通させる複数個の切り欠き部を設けたことを特徴とする母乳等用の保存袋。
【発明の詳細な説明】
【０００１】
【発明の属する技術分野】
本発明は、母乳、液体食品、生鮮食品などを封入して冷凍保存し、スタンディングポジションにて流水解凍するに適した母乳等用の保存袋に関するものである。
【０００２】
【従来の技術】
従来、例えば母乳を保存する使い捨ての母乳保存袋は、衛生的かつ安価である必要性から周囲を密閉したプラスチックフィルムの袋体で構成されている。この袋体について、図７を参照しながら説明すると、先ず、袋体２０は２枚のプラスチック複合フィルム２１，２２の一面にそれぞれ密閉用ファスナー２３の雌型あるいは雄型をそれぞれ取り付けて、これら密閉用ファスナー２３の雌雄が向き合うようにフィルムを重ね合わせる。さらに、これらフィルム２１，２２の下端部間に２枚折りした同じくプラスチック複合フィルムからなるマチ部２４を挟み込み、周囲２５を熱シールする。次に、袋体２０の側面に、開口用Ｖノッチ２６，２７を形成するとともに、ガンマー滅菌処理を施して袋体２０の内部を滅菌する。
【０００３】
母乳保存袋の使用方法は、先ず、図７に示す開口用Ｖノッチ２６を利用して水平方向に切り裂き、袋体２０の上部を取り去り、切り裂いた端部を両側に開いて密閉用ファスナー２３を開口する。そして、袋体２０の内部に搾乳した母乳を充填する。充填後は、密閉用ファスナー２３を両側から押圧して雌雄型を嵌合させ閉じる。内部に、母乳が充填されると、袋体２０のマチ部２４が開いて、スタンディングポジションが取れるようになるので、横方向に並列させておくことができ、この状態で冷凍保存が可能となる。
【０００４】
マチ部２４が設けられていない袋体の場合、スタンディングポジションが取れないので、冷凍庫等の狭い置き場所に保存するには、積み重ねて置くしか方法がなく、取り出すときに母乳搾乳時の時間的前後関係順に行う作業が煩雑となる。これに対し、マチ部２４が設けらている場合は、立てて並べられるので、時経列的に順番で置いておけば取り出すのが容易となる。
【０００５】
次に、使用時には、母乳保存袋を容器の中に必要な個数を並べて立てて置き、容器内に水を流して、流水により冷凍状態の母乳を解凍する。解凍完了後は、袋体２０の開口用Ｖノット２７を切り裂いて、中の母乳を哺乳びんなどに移して子供に授乳させる。使用後は、この母乳保存袋は廃棄処分にする。
【０００６】
なお、冷凍した母乳を、熱解凍、電子レンジ解凍しないのは、母乳中に含まれる免疫成分等の特殊な成分の破壊が懸念されるからで、このため、流水解凍が必要とされている。
【０００７】
【発明が解決しようとする課題】
ところで、上述のようにマチ部を有する袋体を立てた状態で流水解凍すると、マチ部の下面には流水が接触しないので、解凍するのに時間がかかることになる。
【０００８】
そこで、本発明は、スタンディングポジションが取れるように、袋体の下部にマチ部を有する母乳等用の保存袋を、立てた状態で流水解凍する際に、マチ部の下面にも流水が接触するような構造の母乳等用の保存袋の提供を課題としている。
【０００９】
【課題を解決するための手段】
上述課題を解決するために、本発明は次のような手段を採用した。
請求項１に記載の発明は、周囲が密封されたプラスチックフィルムからなる袋体の内面に密閉用ファスナーを有するとともに、該密閉用ファスナーと袋体の上下両端部との間の側面にそれぞれ開口用Ｖノッチが形成され、かつ袋体の下部には内側に折り込み可能なマチ部を備えた母乳等用の保存袋において、前記袋体の下端部近傍に、前記マチ部の下面空間と袋体外部とを連通させる複数個の穴を設けたことを特徴としている。
【００１０】
請求項２に記載の発明は、周囲が密封されたプラスチックフィルムからなる袋体の内面に密閉用ファスナーを有するとともに、該密閉用ファスナーと袋体の上下両端部との間の側面にそれぞれ開口用Ｖノッチが形成され、かつ袋体の下部には内側に折り込み可能なマチ部を備えた母乳等用の保存袋において、前記袋体の下端部に、前記マチ部の下面空間と袋体外部とを連通させる複数個の切り欠きを設けたことを特徴としている。
【００１１】
【発明の実施の形態】
以下、本発明の実施の形態について説明する。
図１は、本発明に係る母乳等用の保存袋の第１の実施の形態の正面図で、母乳等用の保存袋は袋体１０で構成されている。袋体１０は、ポリエチレンにナイロンを貼り付けた２枚のプラスチック複合フィルム１１，１２の一面にそれぞれ密閉用ファスナー１３の雌型あるいは雄型をそれぞれ取り付けて、これら密閉用ファスナー１３の雌雄型が向き合うようにフィルム１１，１２を重ね合わせる。さらに、これらフィルム１１，１２の下端部間に２枚折りした同質のプラスチック複合フィルムからなるマチ部１４を挟み込み、周囲１５を熱シールする。次に、袋体１０の側面に、開口用Ｖノッチ１６，１７を形成するとともに、袋体１０の下端部近傍に、前記マチ部１４の下面空間と袋体外部とを連通させる穴１８を設ける。最後に、ガンマー滅菌処理を施して袋体１０の内部を滅菌する。
【００１２】
この袋体１０の構造をさらに説明する。図２は、図１のII-II線による断面図、図３は図１のIII-III線による断面図で、いずれも（ａ）は内部に何も入っていない状態、（ｂ）は内部に母乳等が充填された膨張状態の時のものである。図５に膨張状態の斜視図を示す。これらの図に示すように、袋体１０を構成するフィルム１１，１２の左右端部の一定幅が熱シールによって溶着されているが、この溶着部分に２枚折りしたマチ部１４の左右端部も挟まれた状態で溶着されている。また、フィルム１１，１２の下端部は、フィルム１１の下端部の所定部分と２つ折りしたマチ部１４の一方の下端部の対向する部分とが溶着されており、フィルム１２の下端部の所定部分と２つ折りしたマチ部１４の他方の下端部の対向する部分とが溶着されていて、袋体１０の底に当たる部分は広げることができるようになっている。
【００１３】
また、穴１８の位置は、フィルム１１とマチ部１４の下端部溶着位置に左右１箇所ずつ、同じくフィルム１２とマチ部１４の下端部溶着位置に左右１箇所ずつが設けられていて、これらの穴１８により、マチ部１４の下面空間と袋体外部とが連通することになる。
【００１４】
袋体１０に設けられた密閉用ファスナー１３は、図４に示すように、雌型１３ａと雄型１３ｂとで構成されており、雄型１３ｂは凸部が２箇所、雌型１３ａは凹部が２箇所あり、一旦嵌合させると、簡単には離脱しないようになっていて、密閉性が高められている。
【００１５】
この母乳等用の保存袋の使用方法は、従来の技術の項で説明したのと同様であるので、説明は省略する。この母乳等用の保存袋に充填して冷凍した母乳の解凍は、例えば洗面器やコップ等の容器中に母乳等用の保存袋を立てた状態で、水道水を流して解凍する。流水は袋体１０の外表面に接触して熱交換するとともに、穴１８から流れ込んで、マチ部１４の下面にも接触して熱交換する。穴１８から流れ込んだ流水は、他の穴１８から流れ出して入れ替わることができるので、熱交換効率が高まり、解凍時間を短縮することができる。
【００１６】
なお、前記穴１８は、合計４箇所に設けられているが、２箇所以上なら何か所でもよい。但し、袋体１０の強度を考慮した範囲となる。また、穴１８の形状も丸以外に四角でも楕円でもかまわない。
【００１７】
次に、本発明の第２の実施の形態について説明する。なお、第１の実施の形態で説明した部材と同一あるいは相当するものには同一符号を付し、説明は省略する。
第２の実施の形態は、図６に示すように、袋体１０の下端部に逆Ｕ字型の切り欠き部１９を４箇所設けたものである。作用効果については、第１の実施の形態と変わらないので説明を省略する。なお、切り欠き部１９を何か所にするかは、スタンディングポジションが取れるような強度を有すれば２箇所以上ならば何か所でもよい。また、切り欠き部１９の形状も逆Ｕ字型に限定されるものではない。
【００１８】
上記実施の形態では、母乳等用の保存袋を母乳の保存に関して説明したが、スタンディングポジションにして解凍するのが好都合のものなら、レトルト食品や冷凍食品等の種々のものに利用することができる。
【００１９】
【発明の効果】
以上説明したように、本発明に係る母乳等用の保存袋は、スタンディングポジションにて解凍中に、解凍用の流水が袋体のマチ部の下面にも接触して流れるので、解凍時間を短縮することができる。
【図面の簡単な説明】
【図１】本発明に係る母乳等用の保存袋の第１の実施の形態を示す正面図である。
【図２】図１のII-II線による断面図で、（ａ）は内部が空の状態、（ｂ）は充填状態を示す。
【図３】図１のIII-III線による断面図で、（ａ）は内部が空の状態、（ｂ）は充填状態を示す。
【図４】密閉用ファスナーの断面図である。
【図５】袋体を広げた状態の一部の斜視図である。
【図６】本発明に係る母乳等用の保存袋の第２の実施の形態を示す正面図である。
【図７】従来の母乳等用の保存袋の正面図である。
【符号の説明】
１０    袋体
１１、１２    プラスチックフィルム
１３    密閉用ファスナー
１４    マチ部
１６、１７    開口用Ｖノッチ
１８    穴
１９    切り欠き部
【図１】
0003916919.tif 000002
【図２】
0003916919.tif 000003
【図３】
0003916919.tif 000004
【図４】
0003916919.tif 000005
【図５】
0003916919.tif 000006
【図６】
0003916919.tif 000007
【図７】
0003916919.tif 000008